(57)【要約】【課題】  性能の劣化を来たすことなく低コストで小型化、薄型化を図る。【解決手段】  発光された各レーザー光を２種類の各ディスク状記録媒体１００ａ、１００ｂへ向けて反射する立ち上げミラー１７と、立ち上げミラーで反射された各レーザー光を各ディスク状記録媒体の記録面に集光する対物レンズ１９と、対物レンズに入射されるレーザー光の光束の径を制限する制限孔１８ａを有する開口制限素子１８とを設け、レーザー光の偏光方向をディスク状記録媒体の半径方向と略平行となるようにレーザー光源を配置し、開口制限素子による光束の径の制限をディスク状記録媒体の半径方向と接線方向とで異なるようにし、対物レンズの上記接線方向における開口数を上記半径方向における開口数より小さくした。【選択図】        図４
2005149543.tif 000002
【特許請求の範囲】
【請求項１】
基板厚みと記録密度が異なる２種類のディスク状記録媒体に対して該ディスク状記録媒体の種類に対応した第１の波長を有する第１のレーザー光及び第２の波長を有する第２のレーザー光が照射される光ピックアップであって、
発光された各レーザー光を各ディスク状記録媒体へ向けて反射する立ち上げミラーと、
立ち上げミラーで反射された各レーザー光を各ディスク状記録媒体の記録面に集光する対物レンズと、
対物レンズに入射されるレーザー光の光束の径を制限する制限孔を有する開口制限素子とを備え、
レーザー光の偏光方向がディスク状記録媒体の半径方向と略平行となるようにレーザー光源が配置され、
開口制限素子による光束の径の制限をディスク状記録媒体の半径方向と接線方向とで異なるようにし、対物レンズの上記接線方向における開口数を上記半径方向における開口数より小さくした
ことを特徴とする光ピックアップ。
【請求項２】
対物レンズの上記半径方向における開口数を上記接線方向における開口数の１．１倍以下とした
ことを特徴とする請求項１に記載の光ピックアップ。
【請求項３】
開口制限素子の制限孔を上記半径方向に長い長穴状に形成した
ことを特徴とする請求項１に記載の光ピックアップ。
【請求項４】
基板厚みと記録密度が異なる２種類のディスク状記録媒体が各別に装着されるディスクテーブルと、該ディスクテーブルに装着されたディスク状記録媒体に対して該ディスク状記録媒体の種類に対応した第１の波長を有する第１のレーザー光及び第２の波長を有する第２のレーザー光が照射される光ピックアップとを備えたディスクドライブ装置であって、
上記光ピックアップは、
発光された各レーザー光を各ディスク状記録媒体へ向けて反射する立ち上げミラーと、
立ち上げミラーで反射された各レーザー光を各ディスク状記録媒体の記録面に集光する対物レンズと、
対物レンズに入射されるレーザー光の光束の径を制限する制限孔を有する開口制限素子とを備え、
レーザー光の偏光方向がディスク状記録媒体の半径方向と略平行となるようにレーザー光源が配置され、
開口制限素子による光束の径の制限をディスク状記録媒体の半径方向と接線方向とで異なるようにし、対物レンズの上記接線方向における開口数を上記半径方向における開口数より小さくした
ことを特徴とするディスクドライブ装置。
【請求項５】
対物レンズの上記半径方向における開口数を上記接線方向における開口数の１．１倍以下とした
ことを特徴とする請求項４に記載のディスクドライブ装置。
【請求項６】
開口制限素子の制限孔を上記半径方向に長い長穴状に形成した
ことを特徴とする請求項４に記載のディスクドライブ装置。
【発明の詳細な説明】
【技術分野】
【０００１】
本発明は光ピックアップ及びディスクドライブ装置についての技術分野に関する。詳しくは、開口制限素子による光束の径の制限をディスク状記録媒体の半径方向と接線方向とで異なるようにして薄型化を図る技術分野に関する。
【背景技術】
【０００２】
ディスク状記録媒体に対する情報信号の記録や再生を行うディスクドライブ装置があり、このようなディスクドライブ装置は、ディスクテーブルに装着されるディスク状記録媒体の半径方向へ移動し該ディスク状記録媒体に対して対物レンズを介してレーザー光を照射して情報信号の記録又は再生を行う光ピックアップを備えている。
【０００３】
光ピックアップには、使用波長の異なる２種類のディスク状記録媒体、例えば、ＤＶＤ（Digital Versatile Disc）とＣＤ（Compact Disc）の双方に対して情報信号の記録又は再生が可能とされたものがあり（例えば、特許文献１参照）、このような光ピックアップにあっては、ＤＶＤに対応する第１の波長（６６０ｎｍ）を有するレーザー光又はＣＤに対応する第２の波長（７８５ｎｍ）を有するレーザー光がディスクテーブルに装着されたディスク状記録媒体に応じて発光される。
【０００４】
尚、特許文献１に記載された発明は、光ピックアップに設けられた対物レンズ駆動装置（２軸アクチュエーター）の可動部の質量を低減してトラッキング制御及びフォーカシング制御の良好な特性を確保する目的において為された発明であり、レーザー光の光束の径を制限する開口制限素子を対物レンズ駆動装置の固定部に設けることにより発明の目的を達成するものである。また、開口制限素子を対物レンズ駆動装置の固定部に設けたときにトラッキング制御時のレーザー光の変動範囲（移動範囲）に対物レンズの開口が存在するようにしてトラッキング制御に支障を来たすことがないようにするために、レーザー光の変動方向であるディスク状記録媒体の半径方向における開口制限素子による制限を緩やかにし、トラッキング制御時のレーザー光の良好な特性を確保するようにしている。
【０００５】
ところで、光ピックアップにあっては、対物レンズとディスク状記録媒体との間に、ディスク状記録媒体の面振れを許容するためのワーキングディスタンス（ＷＤ）が必要とされる。ＷＤは記録密度の低いディスク状記録媒体、即ち、面振れ許容量の大きなディスク状記録媒体の規格上の面振れ量に基づいて定められ、このＷＤを考慮して一方のディスク状記録媒体についての対物レンズの焦点位置が決定されると、他方のディスク状記録媒体についての対物レンズの焦点位置が、双方のディスク状記録媒体の基板厚みの差によって定まる。
【０００６】
例えば、ＤＶＤとＣＤの場合には、記録密度の低いＣＤの面振れ量は規格上±０．５ｍｍ、ＣＤの厚みは１．２ｍｍ、ＤＶＤの厚みは０．６ｍｍである。対物レンズの上面からディスク状記録媒体の下面までの距離（ＷＤ）の差は、ディスク状記録媒体の厚みの差をディスク状記録媒体の屈折率で除した値となり、屈折率が１．５であることから、ＷＤの差は、
０．６／１．５＝０．４（ｍｍ）
となる。
【０００７】
従って、図７に示すように、ＤＶＤｘにおけるワーキングディスタンスをＷＤ１とすると、
ＷＤ１＝０．５＋０．４＝０．９（ｍｍ）、
ＣＤにおけるワーキングディスタンスをＷＤ２とすると、ＣＤの面ぶれ許容量より、
ＷＤ２＝０．５（ｍｍ）
となる。このとき対物レンズａの焦点距離を１．９ｍｍとし、開口数（ＮＡ）を０．６５とすると、対物レンズａに入射されるレーザー光の光束ｂの径Ｄは、
Ｄ＝２×０．６５×１．９＝２．４７（ｍｍ）
となる。対物レンズａの開口数ＮＡは、対物レンズａと立ち上げミラーｃとの間に配置された開口制限素子ｄの制限孔ｅの大きさに依存する。開口制限素子ｄはレーザー光の光束の径を制限する円形の制限孔ｅを有している。
【０００８】
一方、ＤＶＤｘの場合に、対物レンズａの下端から光束ｂの上端までに必要とされる距離Ａは、ディスク状記録媒体の種類を判別するときにディスク状記録媒体の表面で反射する光を検出するために、ＤＶＤｘの厚みによって定められる。従って、距離Ａは、ＤＶＤｘの厚みを屈折率で除して得られた量が必要となり、距離Ａは、
Ａ＝０．６／１．５＋α
となる。αは各値の誤差等を考慮した余裕であり、α＝０．０５（ｍｍ）とすると、
Ａ＝０．４＋０．０５＝０．４５（ｍｍ）
となる。
【０００９】
光ピックアップの高さＨは、その下面からディスク状記録媒体の下面までの距離で定義される。従って、高さＨは、
Ｈ＝ＷＤ１＋ｔ＋Ａ＋Ｄ＋β
となる。ｔは対物レンズａの厚みであり、βは各値の誤差等を考慮した余裕である。ｔ＝１（ｍｍ）、β＝０．５（ｍｍ）とすると、
Ｈ＝０．９＋１＋０．４５＋２．４７＋０．５＝５．３２（ｍｍ）
となる。
【００１０】
【特許文献１】特開２００１―７６３７０号公報
【発明の開示】
【発明が解決しようとする課題】
【００１１】
上記のように、使用波長の異なる２種類のディスク状記録媒体に対して情報信号の記録又は再生が可能とされた光ピックアップにおける高さＨは、記録密度の低いディスク状記録媒体の規格上の面振れ量、対物レンズａの開口数ＮＡ、ディスク状記録媒体の厚み等によって定められる。
【００１２】
ところが、光ピックアップを搭載したディスク再生装置やディスク記録再生装置等が普及した状況においては、コストの増大を来たすことなく、これらの小型化、薄型化が望まれており、特に、携帯用機器においては一層の小型化、薄型化の要求が高い。
【００１３】
一方、ディスク再生装置等の普及に伴って、一層の光ピックアップの良好な性能の維持又は向上の要求も高く、特に、情報信号の品質の維持向上を図る必要がある。
【００１４】
そこで、本発明光ピックアップ及びディスクドライブ装置は、上記した問題点を克服し、性能の劣化を来たすことなく低コストで小型化、薄型化を図ることを課題とする。
【課題を解決するための手段】
【００１５】
本発明光ピックアップは、上記した課題を解決するために、発光された各レーザー光を２種類の各ディスク状記録媒体へ向けて反射する立ち上げミラーと、立ち上げミラーで反射された各レーザー光を各ディスク状記録媒体の記録面に集光する対物レンズと、対物レンズに入射されるレーザー光の光束の径を制限する制限孔を有する開口制限素子とを設け、レーザー光の偏光方向をディスク状記録媒体の半径方向と略平行となるようににレーザー光源を配置し、開口制限素子による光束の径の制限をディスク状記録媒体の半径方向と接線方向とで異なるようにし、対物レンズの上記接線方向における開口数を上記半径方向における開口数より小さくしたものである。
【００１６】
本発明ディスクドライブ装置は、上記した課題を解決するために、光ピックアップの構成要素として、発光された各レーザー光を２種類の各ディスク状記録媒体へ向けて反射する立ち上げミラーと、立ち上げミラーで反射された各レーザー光を各ディスク状記録媒体の記録面に集光する対物レンズと、対物レンズに入射されるレーザー光の光束の径を制限する制限孔を有する開口制限素子とを設け、レーザー光の偏光方向をディスク状記録媒体の半径方向と略平行となるようにし、開口制限素子による光束の径の制限をディスク状記録媒体の半径方向と接線方向とで異なるようにし、対物レンズの上記接線方向における開口数を上記半径方向における開口数より小さくしたものである。
【００１７】
従って、本発明光ピックアップ及びディスクドライブ装置にあっては、レーザー光の光束のディスク状記録媒体の接線方向における大きさがディスク状記録媒体の半径方向における大きさより小さくなる。
【発明の効果】
【００１８】
本発明光ピックアップは、基板厚みと記録密度が異なる２種類のディスク状記録媒体に対して該ディスク状記録媒体の種類に対応した第１の波長を有する第１のレーザー光及び第２の波長を有する第２のレーザー光が照射される光ピックアップであって、発光された各レーザー光を各ディスク状記録媒体へ向けて反射する立ち上げミラーと、立ち上げミラーで反射された各レーザー光を各ディスク状記録媒体の記録面に集光する対物レンズと、対物レンズに入射されるレーザー光の光束の径を制限する制限孔を有する開口制限素子とを備え、レーザー光の偏光方向がディスク状記録媒体の半径方向と略平行となるようにレーザー光源が配置され、開口制限素子による光束の径の制限をディスク状記録媒体の半径方向と接線方向とで異なるようにし、対物レンズの上記接線方向における開口数を上記半径方向における開口数より小さくしたことを特徴とする。
【００１９】
従って、ジッターの悪化を生じることなくディスク状記録媒体の記録面上の良好なスポット径を確保して光ピックアップの良好な性能を維持すると共に、コストの増大を来たすことなく光ピックアップの薄型化及び小型化を図ることができる。
【００２０】
請求項２に記載した発明にあっては、対物レンズの上記半径方向における開口数を上記接線方向における開口数の１．１倍以下としたので、ディスク状記録媒体の記録面上におけるレーザー光のスポット径が半径方向において極端に大きくなることがなく、光ピックアップの情報信号の良好な記録再生性能の維持を図ることができる。
【００２１】
請求項３に記載した発明にあっては、開口制限素子の制限孔を上記半径方向に長い長穴状に形成したので、制限孔を容易に形成することができ、製造コストの増大を来たすことがない。
【００２２】
本発明ディスクドライブ装置は、基板厚みと記録密度が異なる２種類のディスク状記録媒体が各別に装着されるディスクテーブルと、該ディスクテーブルに装着されたディスク状記録媒体に対して該ディスク状記録媒体の種類に対応した第１の波長を有する第１のレーザー光及び第２の波長を有する第２のレーザー光が照射される光ピックアップとを備えたディスクドライブ装置であって、上記光ピックアップは、発光された各レーザー光を各ディスク状記録媒体へ向けて反射する立ち上げミラーと、立ち上げミラーで反射された各レーザー光を各ディスク状記録媒体の記録面に集光する対物レンズと、対物レンズに入射されるレーザー光の光束の径を制限する制限孔を有する開口制限素子とを備え、レーザー光の偏光方向がディスク状記録媒体の半径方向と略平行となるようにレーザー光源が配置され、開口制限素子による光束の径の制限をディスク状記録媒体の半径方向と接線方向とで異なるようにし、対物レンズの上記接線方向における開口数を上記半径方向における開口数より小さくしたことを特徴とする。
【００２３】
従って、ジッターの悪化を生じることなくディスク状記録媒体の記録面上の良好なスポット径を確保してディスクドライブ装置の良好な性能を維持すると共に、コストの増大を来たすことなくディスクドライブ装置の薄型化及び小型化を図ることができる。
【００２４】
請求項５に記載した発明にあっては、対物レンズの上記半径方向における開口数を上記接線方向における開口数の１．１倍以下としたので、ディスク状記録媒体の記録面上におけるレーザー光のスポット径が半径方向において極端に大きくなることがなく、ディスクドライブ装置の情報信号の良好な記録再生性能の維持を図ることができる。
【００２５】
請求項６に記載した発明にあっては、開口制限素子の制限孔を上記半径方向に長い長穴状に形成したので、制限孔を容易に形成することができ、製造コストの増大を来たすことがない。
【発明を実施するための最良の形態】
【００２６】
以下に、本発明光ピックアップ及びディスクドライブ装置の最良の形態を添付図面に従って説明する。
【００２７】
ディスクドライブ装置１は、外筐２内に所要の各部材及び各機構が配置されて成り（図１参照）、外筐２には図示しないディスク挿入口が形成されている。
【００２８】
外筐２内には図示しないシャーシが配置され、該シャーシに取り付けられたスピンドルモーターのモーター軸にディスクテーブル３が固定されている。
【００２９】
シャーシには、平行なガイド軸４、４が取り付けられると共に図示しない送りモーターによって回転されるリードスクリュー５が支持されている。
【００３０】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００３１】
ディスク状記録媒体１００としては、例えば、ＤＶＤ１００ａとＣＤ１００ｂが用いられる。
【００３２】
以上のようにして構成されたディスクドライブ装置１において、スピンドルモーターの回転に伴ってディスクテーブル３が回転されると、該ディスクテーブル３に装着されたディスク状記録媒体１００、即ち、ＤＶＤ１００ａ又はＣＤ１００ｂａが回転され、同時に、光ピックアップ６がディスク状記録媒体１００の半径方向（図２に示すＲ方向）へ移動されてディスク状記録媒体１００に対する記録動作又は再生動作が行われる。
【００３３】
光ピックアップ６は、図３に示すように、第１のレーザー光源（半導体レーザー）９、第２のレーザー光源（半導体レーザー）１０、第１のグレーティング１１、第２のグレーティング１２、カップリングレンズ１３、第１のビームスプリッター１４、第２のビームスプリッター１５、コリメーターレンズ１６、立ち上げミラー１７、開口制限素子１８、対物レンズ１９、調整レンズ２０及び受光素子２１を備えている。
【００３４】
第１のレーザー光源９からは、例えば、６６０ｎｍの波長（第１の波長）を有する第１のレーザー光が発光され、第２のレーザー光源１０からは、例えば、７８５ｎｍの波長（第２の波長）を有する第２のレーザー光が発光される。一方のディスク状記録媒体１００、即ち、ＤＶＤ１００ａに対する情報信号の記録又は再生が行われるときには、第１のレーザー光源９から６６０ｎｍの波長を有するレーザー光が発光され、他方のディスク状記録媒体１００、即ち、ＣＤ１００ｂに対する情報信号の記録又は再生が行われるときには、第２のレーザー光源１０から７８５ｎｍの波長を有するレーザー光が発光される。
【００３５】
第１のグレーティング１１はＤＶＤ１００ａへ向けて出射される第１のレーザー光の光路上に配置され、第２のグレーティング１２はＣＤ１００ｂへ向けて出射される第２のレーザー光の光路上に配置され、何れもトラッキングサーボ用の３ビーム（０次光と±１次光）を生成するためのものである。
【００３６】
カップリングレンズ１３は、第２のグレーティング１２と第２のビームスプリッター１５との間の光路中に配置されており、発光された第２のレーザー光の光学倍率を変化させる機能を有している。
【００３７】
第１のビームスプリッター１４は、第１のレーザー光源９から発光された第１のレーザー光を分離面１４ａで反射してコリメーターレンズ１６へ導き、ディスク状記録媒体１００で反射されたレーザー光の戻り光を透過して受光素子２１へ導く機能を有する。
【００３８】
第２のビームスプリッター１５は、第２のレーザー光源１０から発光された第２のレーザー光を分離面１５ａで反射してコリメーターレンズ１６へ導き、ディスク状記録媒体１００で反射されたレーザー光の戻り光を透過して受光素子２１へ導く機能を有する。
【００３９】
コリメーターレンズ１６は入射されたレーザー光の光束を平行光束にする機能を有し、立ち上げミラー１７はレーザー光を反射して対物レンズ１９又はコリメーターレンズ１６へ導く機能を有する。
【００４０】
開口制限素子１８は立ち上げミラー１７と対物レンズ１９との間の光路中に配置され、対物レンズ１９に入射されるレーザー光の光束の径を制限する制限孔１８ａを有している。
【００４１】
対物レンズ１９は入射されたレーザー光をディスク状記録媒体１００の記録トラック上に集光させる機能を有する。
【００４２】
調整レンズ２０はレーザー光の倍率を調整するためのレンズである。
【００４３】
開口制限素子１８の制限孔１８ａは、図４に示すように、ディスク状記録媒体１００の接線方向（ＴＡＮ方向）に対して半径方向（ＲＡＤ方向）に稍長い長穴状に形成され、その開口縁が、平行な２つの直線部１８ｂ、１８ｂと、該直線部１８ｂ、１８ｂ間に位置する円弧部１８ｃ、１８ｃとから成る。
【００４４】
開口制限素子１８は、例えば、制限孔１８ａのＴＡＮ方向における長さＬｔを１とすると、ＲＡＤ方向における長さＬｒは１より大きく１．１以下とされている。従って、対物レンズ１９は、ＴＡＮ方向における開口数ＮＡｔがＲＡＤ方向における開口数ＮＡｒより稍小さくされ、例えば、ＴＡＮ方向における開口数ＮＡｔが０．６、ＲＡＤ方向における開口数ＮＡｒが０．６５とされている。
【００４５】
光ピックアップ６は、第１のレーザー光及び第２のレーザー光の偏光方向が何れもディスク状記録媒体１００の半径方向と略平行となるような向きに第１のレーザー光源９及び第２のレーザー光源１０が配置されている。従って、レーザー光の強度は出射状態においてはＲＡＤ方向に比してＴＡＮ方向において強くなっているが、ディスク状記録媒体１００に達するまでに、例えば、図示しない波長板によって９０°回転されるため、開口制限素子１８を通過する状態では強度分布はＴＡＮ方向に比してＲＡＤ方向において強くなる。即ち、レーザー光の強度が強い方向が開口制限素子１８の制限孔１８ａの長手方向に一致され、レーザー光の強度が弱い方向が制限孔１８ａの短手方向に一致される。
【００４６】
一般に、ＴＡＮ方向はジッターに対する許容度が大きいため、上記のように、レーザー光の強度が弱い方向を開口制限素子１８の制限孔１８ａの短手方向に一致させることにより、ジッターが悪化し難く、ジッターの悪化を生じることなくディスク状記録媒体１００の記録面上の良好なスポット径を確保することができる。
【００４７】
以上のように構成された光ピックアップ６において、第１のレーザー光源９から第１の波長を有する第１のレーザー光、即ち、ＤＶＤ１００ａに対応する６６０ｎｍの波長を有する第１のレーザー光が発光されると、第１のレーザー光は第１のグレーティング１１によって回折されて主光束と一対の副光束とに分割され、第１のビームスプリッター１４の分離面１４ａで反射されてコリメターレンズ１６へ導かれる。
【００４８】
第１のレーザー光はコリメーターレンズ１６によって平行光束とされ、立ち上げミラー１７で反射され開口制限素子１８によって光束の径が制限されて対物レンズ１９を介してディスクテーブル３に装着されたＤＶＤ１００ａの記録面に照射される。ＤＶＤ１００ａの記録面に照射された第１のレーザー光は、該記録面で反射されて戻り光として再び対物レンズ１９、開口制限素子１８、立ち上げミラー１７及びコリメーターレンズ１６を介して第１のビームスプリッター１４に入射される。第１のビームスプリッター１４に入射された戻り光は、第１のビームスプリッター１４の分離面１４ａを透過され、さらに第２のビームスプリッター１５の分離面１５ａを透過されて調整レンズ２０を介して受光素子２１に入射され、ＤＶＤ１００ａに対して、例えば、情報信号の再生が行われる。
【００４９】
一方、第２のレーザー光源１０から第２の波長を有する第２のレーザー光、即ち、ＣＤ１００ｂに対応する７８５ｎｍの波長を有する第２のレーザー光が発光されると、第２のレーザー光は第２のグレーティング１２によって回折されて主光束と一対の副光束とに分割され、カップリングレンズ１３を介して第２のビームスプリッター１５に入射され、第２のビームスプリッター１５の分離面１５ａで反射されて第１のビームスプリッター１４に入射される。第１のビームスプリッター１４に入射された第２のレーザー光は、分離面１４ａを透過されてコリメターレンズ１６へ導かれる。
【００５０】
第２のレーザー光はコリメーターレンズ１６によって平行光束とされ、立ち上げミラー１７で反射され開口制限素子１８によって光束の径が制限されて対物レンズ１９を介してディスクテーブル３に装着されたＣＤ１００ｂの記録面に照射される。ＣＤ１００ｂの記録面に照射された第２のレーザー光は、該記録面で反射されて戻り光として再び対物レンズ１９、開口制限素子１８、立ち上げミラー１７及びコリメーターレンズ１６を介して第１のビームスプリッター１４に入射される。第１のビームスプリッター１４に入射された戻り光は、第１のビームスプリッター１４の分離面１４ａを透過され、さらに第２のビームスプリッター１５の分離面１５ａを透過されて調整レンズ２０を介して受光素子２１に入射され、ＣＤ１００ｂに対して、例えば、情報信号の再生が行われる。
【００５１】
次に、光ピックアップ６の高さについて説明する（図５参照）。
【００５２】
光ピックアップ６にあっては、対物レンズ１９とディスク状記録媒体１００との間に、ディスク状記録媒体の面振れを許容するためのワーキングディスタンス（ＷＤ）が必要とされる。ＷＤは記録密度の低いディスク状記録媒体であるＣＤ１００ｂの規格上の面振れ量に基づいて定められ、このＷＤを考慮して対物レンズ１９の焦点位置が決定される。
【００５３】
ＣＤ１００ｂの面振れ量は規格上±０．５ｍｍ、ＣＤ１００ｂの厚みは１．２ｍｍ、ＤＶＤ１００ａの厚みは０．６ｍｍである。対物レンズ１９の上面からディスク状記録媒体１００の下面までの距離（ＷＤ）の差は、ＤＶＤ１００ａとＣＤ１００ｂの厚みの差を屈折率で除した値となり、屈折率が１．５であることから、
０．６／１．５＝０．４（ｍｍ）
となる。
【００５４】
従って、ＤＶＤ１００ａにおけるワーキングディスタンスＷＤ１は、
ＷＤ１＝０．５＋０．４＝０．９（ｍｍ）、
ＣＤ１００ｂにおけるワーキングディスタンスＷＤ２は、ＣＤの面ぶれ許容量より、
ＷＤ２＝０．５（ｍｍ）
となる。このとき対物レンズ１９の焦点距離を１．９ｍｍとする。
【００５５】
対物レンズ１９の開口数ＮＡは、上記したように、ＴＡＮ方向における開口数ＮＡｔが０．６、ＲＡＤ方向における開口数ＮＡｒが０．６５とされている。
【００５６】
レーザー光の光束Ｆの径Ｄは、立ち上げミラー１７の折り曲げ方向がＴＡＮ方向に沿う方向であるため、対物レンズ１９のＴＡＮ方向における開口数ＮＡｔによって定まり、
Ｄ＝２×０．６×１．９＝２．２８（ｍｍ）
となる。
【００５７】
ＤＶＤ１００ａの場合に、対物レンズ１９の下端から光束Ｆの上端までに必要とされる距離Ａは、ＤＶＤ１００ａの厚みによって定められる。従って、ＤＶＤ１００ａの厚みを、屈折率で除して得られた量が必要となり、距離Ａは、
Ａ＝０．６／１．５＋α
となる。αは各値の誤差等を考慮した余裕であり、α＝０．０５（ｍｍ）とすると、
Ａ＝０．４＋０．０５＝０．４５（ｍｍ）
となる。
【００５８】
光ピックアップ６の高さＨは、その下面からディスク状記録媒体１００の下面までの距離で定義され、高さＨは、
Ｈ＝ＷＤ１＋ｔ＋Ａ＋Ｄ＋β
となる。ｔは対物レンズ１９の厚みであり、βは各値の誤差等を考慮した余裕である。ｔ＝１（ｍｍ）、β＝０．５（ｍｍ）とすると、
Ｈ＝０．９＋１＋０．４５＋２．２８＋０．５＝５．１３（ｍｍ）
となる。
【００５９】
従って、円形の制限孔ｅを有する開口制限素子ｄを用いた従来の光ピックアップに比して、光ピックアップ６の高さが０．１９ｍｍ低くされる。
【００６０】
以上に記載した通り、光ピックアップ６にあっては、レーザー光の偏光方向がディスク状記録媒体１００のＲＡＤ方向と略平行となるようにすると共に、開口制限素子１８による光束の径の制限をディスク状記録媒体１００のＲＡＤ方向とＴＡＮ方向とで異なるようにして対物レンズ１９のＴＡＮ方向における開口数ＮＡｔをＲＡＤ方向における開口数ＮＡｒより小さくしている。
【００６１】
従って、ジッターの悪化を生じることなくディスク状記録媒体１００の記録面上の良好なスポット径を確保して光ピックアップ６の良好な性能を維持すると共に、コストの増大を来たすことなく光ピックアップ６の薄型化及び小型化を図ることができる。
【００６２】
尚、一般に、対物レンズのＴＡＮ方向における開口数ＮＡｔに対してＲＡＤ方向における開口数ＮＡｒが大きくなりすぎると、対物レンズのＲＡＤ方向におけるチルトマージンが減少し、光ピックアップ６の情報信号の記録再生性能が劣化するおそれがある。また、ＴＡＮ方向における開口数ＮＡｔが小さくなりすぎると、ディスク状記録媒体１００の記録面上におけるレーザー光のスポット径が極端に大きくなり、光ピックアップ６の情報信号の記録再生性能が劣化する。そこで、上記したように、光ピックアップ６においては、開口制限素子１８の制限孔１８ａのＲＡＤ方向における長さＬｒがＴＡＮ方向における長さＬｔに対して１．１以下とされている。
【００６３】
従って、ＲＡＤ方向におけるチルトマージンを減少させることがなく、また、ディスク状記録媒体１００の記録面上におけるレーザー光のスポット径がＴＡＮ方向において極端に大きくなることがなく、光ピックアップ６の情報信号の良好な記録再生性能の維持を図ることができる。
【００６４】
また、開口制限素子１８の制限孔１８ａを、加工が容易な直線部１８ｂ、１８ｂ及び円弧部１８ｃ、１８ｃから成る長穴状に形成しているため、制限孔１８ａを容易に形成することができ、製造コストの増大を来たすことがない。
【００６５】
尚、開口制限素子の制限孔の形状は図４に示すような長穴状に限られることはなく、例えば、図６に示すように、ＲＡＤ方向における長さＬｒがＴＡＮ方向における長さＬｔに対して長い楕円形状に形成してもよい。この場合にも、開口制限素子１８Ａの制限孔１８ｄのＲＡＤ方向における長さＬｒはＴＡＮ方向における長さＬｔに対して１．１以下であることが望ましい。
【００６６】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６７】
【図１】図２乃至図６と共に本発明を実施するための最良の形態を示すものであり、本図はディスクドライブ装置の概略斜視図である。
【図２】対物レンズの移動方向とディスク状記録媒体との関係を示す斜視図である。
【図３】光ピックアップの構成を示す概念図である。
【図４】開口制限素子の制限孔の形状を示す拡大平面図である。
【図５】光ピックアップの高さを説明するための側面図である。
【図６】別の開口制限素子の制限孔の形状を示す拡大平面図である。
【図７】従来の光ピックアップの高さを説明するための側面図である。
【符号の説明】
【００６８】
１００…ディスク状記録媒体、１…ディスクドライブ装置、３…ディスクテーブル、６…光ピックアップ、９…第１のレーザー光源、１０…第２のレーザー光源、１７…立ち上げミラー、１８…開口制限素子、１８ａ…制限孔、１９…対物レンズ、１８Ａ…開口制限素子、１８ｄ…制限孔
【図１】
2005149543.tif 000003
【図２】
2005149543.tif 000004
【図３】
2005149543.tif 000005
【図４】
2005149543.tif 000006
【図５】
2005149543.tif 000007
【図６】
2005149543.tif 000008
【図７】
2005149543.tif 000009